【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
ユーザイクイップメントに実装される装置であって、
１つ以上の受信信号に基づいて、第２パフォーマンスグループの第２測定遅延より大きい第１測定遅延を有する第１パフォーマンスグループに属するキャリアを監視するかどうか、及び、前記ユーザイクイップメントが第２キャリア監視能力に対して増加された第１キャリア監視能力をサポートしているときに、前記第１パフォーマンスグループに属するキャリアを監視するためのスケールファクタを適用するかどうかを決定する決定手段と、
監視手段であって、
前記第１パフォーマンスグループに属するキャリアを監視しないと決定されたときに、前記第２パフォーマンスグループに属するキャリアを監視し、
前記スケールファクタが前記第１パフォーマンスグループに適用されないと決定されたときに、前記第２キャリア監視能力に従ってキャリアを監視する、監視手段と
を含む装置。
【請求項２】
前記監視手段は、前記ユーザイクイップメントが前記第１パフォーマンスグループに属するキャリアの少なくともいくつかを監視すべきであると決定され、前記スケールファクタが前記第１パフォーマンスグループに適用されるべきであると決定されたときに、前記第１パフォーマンスグループに属するキャリアのうちの少なくともいくつかを監視するものである、請求項１に記載の装置。
【請求項３】
前記第１キャリア監視能力は、エボルブドユニバーサル地上無線アクセス（Ｅ−ＵＴＲＡ）第１キャリア監視能力又はユニバーサル地上無線アクセス（ＵＴＲＡ）第１キャリア監視能力である、請求項１に記載の装置。
【請求項４】
前記ユーザイクイップメントが前記スケールファクタを適用しないことが決定され、前記第１キャリア監視能力が前記ＵＴＲＡ第１キャリア監視能力又は前記Ｅ−ＵＴＲＡ第１キャリア監視能力であるときに、前記監視手段は、
３２個までの同一周波数分割複信（ＦＤＤ）セル、
２個以上のＦＤＤキャリアに分配されるＦＤＤセル及び３個までのＴＤＤキャリアに分配される時分割複信（ＴＤＤ）セルを含む、３２個までの同一周波数セル、
３２個までのＧＳＭキャリアに分配される３２個までのＧＳＭセル、
４個までのＥ−ＵＴＲＡ  ＦＤＤキャリアに対して、Ｅ−ＵＴＲＡ  ＦＤＤキャリア当たり４個までのＥ−ＵＴＲＡ  ＦＤＤセル、
４個までのＥ−ＵＴＲＡ  ＴＤＤキャリアに対して、Ｅ−ＵＴＲＡ  ＴＤＤキャリア当たり４個までのＥ−ＵＴＲＡ  ＴＤＤセル、又は
ダウンリンク（ＩＰＤＬ）ギャップ中のアイドル期間中に１６個までの同一周波数セル
をさらに監視するものである、
請求項３に記載の装置。
【請求項５】
前記ユーザイクイップメントが専用チャネル（ＣＥＬＬ＿ＤＣＨ）状態にあり、前記ユーザイクイップメントが単一のアップリンクキャリア周波数に対して設定されているときに、前記監視手段は、同一周波数サービングキャリアと、Ｅ−ＵＴＲＡ  ＦＤＤ、Ｅ−ＵＴＲＡ  ＴＤＤ、ＵＴＲＡ  ＦＤＤ、ＵＴＲＡ  ＴＤＤ及びＧＳＭキャリアの任意の組み合わせとを含むキャリアのうち、最小合計８個のキャリアを監視するものであり、
１個のＧＳＭキャリアは、３２個のセルに対応する、請求項４に記載の装置。
【請求項６】
前記ユーザイクイップメントが専用チャネル（ＣＥＬＬ＿ＤＣＨ）状態にあり、前記ユーザイクイップメントがデュアルアップリンクキャリア周波数に対して設定されている場合、前記監視手段は、２個の同一周波数キャリアと、Ｅ−ＵＴＲＡ  ＦＤＤ、Ｅ−ＵＴＲＡ  ＴＤＤ、ＵＴＲＡ  ＦＤＤ、ＵＴＲＡ  ＴＤＤ及びＧＳＭキャリアの任意の組み合わせと、を含むキャリアのうち、最小合計９個のキャリアを監視するものであり、
１個のＧＳＭキャリアは３２個のセルに対応する、請求項４に記載の装置。
【請求項７】
前記ユーザイクイップメントが前記スケールファクタを適用しないことが決定されたとき、前記監視手段は、
前記ユーザイクイップメントが前記ＵＴＲＡ第１キャリア監視能力をサポートするときに、キャリア当たり３２個までのセルで５個のＦＤＤ同一周波数キャリアを含む、８０の同一周波数セルを監視し、
前記ユーザイクイップメントが前記Ｅ−ＵＴＲＡ第１キャリア監視能力をサポートするときに、８個のＦＤＤ  Ｅ−ＵＴＲＡキャリア及び８個のＴＤＤ  Ｅ−ＵＴＲＡキャリアを監視する、請求項３に記載の装置。
【請求項８】
前記監視手段は、Ｅ−ＵＴＲＡ  ＦＤＤ、Ｅ−ＵＴＲＡ  ＴＤＤ、ＵＴＲＡ  ＦＤＤ、ＵＴＲＡ  ＴＤＤ及びＧＳＭキャリアの任意の組み合わせを含むサービングキャリアを含む、少なくとも１３のキャリアの合計を監視するものであり、
１個のＧＳＭキャリアは３２個のセルに対応する、請求項７に記載の装置。
【請求項９】
前記スケールファクタは、前記第１パフォーマンスグループに属するキャリアの測定に適用される緩和を定義し、
前記１つ以上の受信信号は上位レイヤ信号である、請求項１から８のいずれか一項に記載の装置。
【請求項１０】
前記ユーザイクイップメントは、専用チャネル（ＣＥＬＬ＿ＤＣＨ）状態又はセルフォワードアクセスチャネル（ＣＥＬＬ＿ＦＡＣＨ）状態のうちの１つにある、請求項１に記載の装置。
【請求項１１】
エボルブドＮｏｄｅＢに、前記第２パフォーマンスグループに属するキャリア、前記第１パフォーマンスグループに属するキャリア、又は前記第１キャリア監視能力なしで監視されたキャリアの測定値を送信する送信手段をさらに含む、請求項１から８のいずれか一項に記載の装置。
【請求項１２】
ユーザイクイップメントに実装される装置であって、
１つ以上の信号を受信する無線周波数回路と、
前記無線周波数回路に結合されているベースバンド回路と、を含み、
前記ベースバンド回路は、
前記１つ以上の信号のうちの１つに基づいて、前記ユーザイクイップメントが第１キャリア監視能力をサポートするときに、第１パフォーマンスグループ又は第２パフォーマンスグループに属するキャリアを監視するかどうかを決定し、
前記１つ以上の信号のうちの１つに基づいて、前記第１パフォーマンスグループに属するキャリアを監視するためのスケールファクタを適用するかどうかを決定し、
前記第１パフォーマンスグループに属するキャリアがないと決定されたときに、前記第２パフォーマンスグループに属するキャリアを監視するように前記無線周波数回路を制御し、
前記スケールファクタが前記第１パフォーマンスグループに適用されないと決定されたときに、前記第１キャリア監視能力なしで１個以上のキャリアを監視するように前記無線周波数回路を制御する、装置。
【請求項１３】
前記第１パフォーマンスグループに属するキャリアは、前記第２パフォーマンスグループの第２測定遅延パフォーマンスよりも大きい第１測定遅延パフォーマンスを有する、請求項１２に記載の装置。
【請求項１４】
前記ベースバンド回路は、前記第１パフォーマンスグループに属するキャリアのうちの少なくともいくつかが監視されるべきであると決定され、前記スケールファクタが前記第１パフォーマンスグループに適用されるべきであると決定されたときに、前記第１パフォーマンスグループに属するキャリアのうちの少なくともいくつかを監視するように前記無線周波数回路を制御する、請求項１２に記載の装置。
【請求項１５】
前記第１キャリア監視能力は、エボルブドユニバーサル地上無線アクセス（Ｅ−ＵＴＲＡ）第１キャリア監視能力又はユニバーサル地上無線アクセス（ＵＴＲＡ）第１キャリア監視能力である、請求項１２に記載の装置。
【請求項１６】
前記スケールファクタは、前記第１パフォーマンスグループに属するキャリアの測定に適用される緩和を定義し、
前記１つ以上の信号は上位レイヤ信号である、請求項１２に記載の装置。
【請求項１７】
前記ユーザイクイップメントは、専用チャネル（ＣＥＬＬ＿ＤＣＨ）状態又はセルフォワードアクセスチャネル（ＣＥＬＬ＿ＦＡＣＨ）状態のうちの１つにある、請求項１２に記載の装置。
【請求項１８】
前記無線周波数回路は、エボルブドＮｏｄｅＢに、前記第２パフォーマンスグループに属するキャリア、前記第１パフォーマンスグループに属するキャリア、又は前記第１キャリア監視能力なしで監視されたキャリアの測定値を送信するものである、請求項１２から１７のいずれか一項に記載の装置。
【請求項１９】
１つ以上の非一時的なコンピュータ読み取り可能記憶媒体に具現化されたコンピュータプログラムであって、１つ以上の処理装置による当該プログラムの実行は、ユーザ装置（ＵＥ）に、
１つ以上の信号を制御するステップであって、該１つ以上の信号は、第１測定パフォーマンスキャリア又は第２測定パフォーマンスキャリアのうちの１つとしてキャリアのセットのそれぞれに対する測定パフォーマンスを示し、該第１測定パフォーマンスキャリアは、該第２測定パフォーマンスキャリアの第２測定遅延よりも大きい第１測定遅延を有する、制御するステップと、
前記１つ以上の信号に基づいて、少なくとも１つの第２パフォーマンスキャリアが設定されているかどうかを決定するステップと、
前記第２測定パフォーマンスキャリアが設定されていないとの決定に基づいて、第１測定パフォーマンスキャリアとして前記キャリアのセットのすべてのキャリアを監視するステップと、を行わせる、コンピュータプログラム。
【請求項２０】
スケールファクタは、第１パフォーマンスグループに属する前記キャリアの測定に適用される緩和を定義し、
前記１つ以上の信号は上位レイヤ信号である、請求項１９に記載のコンピュータプログラム。
【請求項２１】
前記１つ以上の処理デバイスによる当該プログラムの実行は、前記ＵＥに、
前記１つ以上の信号に基づいて、測定スケールファクタが設定されているかどうかを決定するステップであって、前記測定スケールファクタは、前記第２測定パフォーマンスキャリアの要件に適用される緩和を定義する、決定するステップと、
測定スケールファクタが構成されていないとの決定に基づいて、第１測定パフォーマンスキャリアとして前記キャリアのセットを監視するステップ、又は
少なくとも１つの第２測定パフォーマンスキャリアが設定されているとの決定に基づいて、及び前記測定スケールファクタが構成されているとの決定に基づいて、前記測定スケールファクタを用いて第２測定パフォーマンスキャリアである前記キャリアのセットのうちのキャリアを監視するステップと、を行わせる、請求項１９に記載のコンピュータプログラム。
【請求項２２】
前記ＵＥは、専用チャネル（ＣＥＬＬ＿ＤＣＨ）状態又はセルフォワードアクセスチャネル（ＣＥＬＬ＿ＦＡＣＨ）状態のうちの１つにある、請求項１９に記載のコンピュータプログラム。
【請求項２３】
前記１つ以上の処理デバイスによる当該プログラムの実行は、前記ＵＥに、
キャリア監視能力指示の送信を制御するステップを行わせ、
前記キャリア監視能力指示は、前記ＵＥが第２キャリア監視能力に対して増加された第１キャリア監視能力をサポートするかどうかを示すものである、請求項１９から２２のいずれか一項に記載のコンピュータプログラム。
【請求項２４】
前記第１キャリア監視能力は、エボルブドユニバーサル地上無線アクセス（Ｅ−ＵＴＲＡ）第１キャリア監視能力又はユニバーサル地上無線アクセス（ＵＴＲＡ）第１キャリア監視能力である、請求項２３に記載のコンピュータプログラム。
【請求項２５】
前記１つ以上の処理デバイスによる当該プログラムの実行は、前記ＵＥに、
エボルブドＮｏｄｅＢへの測定報告の送信を制御するステップ、を行わせ、
前記測定報告は、前記第２パフォーマンスグループに属するキャリア、前記第１パフォーマンスグループに属するキャリア、又は前記第１キャリア監視能力なしで監視された前記キャリアの測定を含むものである、請求項２３に記載のコンピュータプログラム。
【手続補正２】
【補正対象書類名】明細書
【補正対象項目名】０００５
【補正方法】変更
【補正の内容】
【０００５】
本開示の実施形態は、増加キャリア監視環境におけるシグナリングのためのシステム及び方法を含む。ユーザイクイップメント（ＵＥ）（スマートフォン、他の移動通信デバイス等）は、それが時間及び空間を移動するときに、多くの異なるタイプの無線通信ネットワークと相互作用することが多い。新しい機能（以下で説明される、増加キャリア監視等）が新しいネットワーク仕様に含まれるにつれて、そのような新しい機能を実行するように構成されたＵＥは、より古い又は異なるネットワーク仕様により認識されない機能、そうでなくてもサポートされない機能を見つけ出すことがある。より古い又は異なるネットワーク仕様が、より新しい機能を予期しない場合、そのようなより古い又は異なるネットワークと相互作用するＵＥは、受信することが期待される、その機能に関するネットワーク信号を受信しない可能性があり、これにより、その機能を実行するか否かを知ることができない。より新しいネットワークとＵＥとの間に付加的に機能固有のシグナリングを追加すれば、あいまいさに対処するのには役に立つものの、追加のシグナリングオーバヘッドを犠牲にしている。無線通信ネットワーク仕様は、通信リソースを可能な限り無駄なく効率的にするように洗練され続けるので、そのような追加コストは受け入れられない可能性がある。
【手続補正３】
【補正対象書類名】明細書
【補正対象項目名】０００６
【補正方法】変更
【補正の内容】
【０００６】
本明細書に開示されている実施形態の様々なものは、既存の信号データの特定の組み合わせを利用して、ＵＥが増加キャリア監視にしたがうべきか、又はそうすべきではないかを通信するように、ＵＥ及びそれらが相互作用するネットワークコンポーネント（例えば、ｅＮＢ）を設定することによってこれらの問題に対処することができる。これらの実施形態は、シグナリングオーバヘッドを発生させない又は最小限に抑えつつ、増加キャリア監視が実行されるべきか否かに関してＵＥが不明確な又は矛盾する命令を有する状況を、低減又は排除することができる。
【手続補正４】
【補正対象書類名】明細書
【補正対象項目名】００１４
【補正方法】変更
【補正の内容】
【００１４】
無線通信環境１００はまた、レガシー（legacy）ｅＮＢ１２２も含むことができる。レガシーｅＮＢ１２２は、ＵＭＴＳプロトコルの以前のリリース又はＬＴＥプロトコルの以前のリリース（例えば、リリース１１）に従って動作することができる。様々な時に、ＵＥ１０２は、レガシーｅＮＢ１２２と通信することができる。
単一のＵＥ１０２及び単一のｅＮＢ１１２が図１に示されているが、これは単に説明を分かりやすくするためのものであり、無線通信環境１００は、ＵＥ１０２を参照して本明細書で説明されたように設定されている１つ以上のＵＥ及びｅＮＢ１１２を参照して本明細書で説明されたように設定されている１つ以上のｅＮＢと通信するように設定されてもよい。例えば、ＵＥ１０２は、ｅＮＢ１１２を参照して本明細書で説明されたように設定された１つ以上のｅＮＢと通信するように（及び、レガシーｅＮＢ１２２を参照して本明細書で説明されたように設定された１つ以上のレガシーｅＮＢと通信するように）に設定されてもよい。そして、ｅＮＢ１１２は、ＵＥ１０２を参照して本明細書で説明されたように設定された２つ以上のＵＥと通信するように設定されてもよい。
【手続補正５】
【補正対象書類名】明細書
【補正対象項目名】００３０
【補正方法】変更
【補正の内容】
【００３０】
第１セットの実施形態では、ＵＥ１０２がｅＮＢ１１２に関連付けられたセルによって最初にサービスされるときに、ｅＮＢ１１２のキャリア監視制御回路１１４が少なくとも１つのＲＰＧキャリアを設定することを必要とすることによって、これらの問題に対処することができる。少なくとも１つのＲＰＧキャリアが存在することをＵＥ１０２に伝えることによって、ｅＮＢ１１２は、ｅＮＢ１１２が増加キャリア監視をサポートすること、それゆえ、式（１）及び式（２）が使用されるべきことをＵＥ１０２に示すことができる。ｅＮＢ１１２が全てのキャリアをＲＰＧとして扱うつもりがない場合、キャリア監視制御回路１１４は、その後、設定を変更して、全てのキャリアがＮＰＧであることをＵＥ１０２に伝えることができる（ＵＥ１０２が前のＲＰＧ指示を受信し、それにより、ｅＮＢ１１２が増加キャリア監視をサポートすると結論付けた後に）。
【手続補正６】
【補正対象書類名】明細書
【補正対象項目名】００３２
【補正方法】変更
【補正の内容】
【００３２】
第３セットの実施形態では、全てのキャリアがＮＰＧであるときに、増加キャリア監視を実行すべきか、すべきでないことの指標としてスケールファクタを利用するようにＵＥ１０２及びｅＮＢ１１２を設定することによって、最初にＲＰＧとしてキャリアを設定する必要性なしに、上記の問題に対処することができる。全てのキャリアがＮＰＧであるときに、ＵＥ１０２がｅＮＢ１１２からの通信でスケールファクタの存在を検出すると、キャリア監視制御回路１０４は、この条件をｅＮＢ１１２が増加キャリア監視をサポートしていることを示すものとして解釈することができ、式（１）（ＲＰＧキャリアが設定されていない場合は、スケールファクタに依存しない）を適用することができる。第２及び第３セットの実施形態では、スケールファクタがＲＰＧキャリアの測定要件に適用される緩和に関する情報を伝達するので、追加情報を伝達するためにスケールファクタを使用することは黙示的通知の態様であることができ、ｅＮＢとＵＥとの間で通信される多くの、又は追加のデータを必要としないという効果があり得る。
【手続補正７】
【補正対象書類名】明細書
【補正対象項目名】００３４
【補正方法】変更
【補正の内容】
【００３４】
【表５】
2017535205.tif 000001
以下の表６は、測定ギャップの設定とともに、同一周波数、異周波数、及び異なるＲＡＴ移動性測定値を含む、ＵＥ１０２によって実行される測定を伝えるために、ｅＮＢ１１２のキャリア監視制御回路１１４によって使用され得る情報要素の例を示す。表６に示すように、情報要素measScaleFactor-r12は、「OPTIONAL  Need  ON」として示されている。これは、ｅＮＢ１１２が信号を送ることに対しては、その情報要素がオプションではあるが、メッセージがＵＥ１０２によって受信され、その情報要素が存在しない場合、ＵＥ１０２は何の措置も取らず、適用可能であれば、既存の値（及び／又は関連している機能性）を引き続き使用すべきことを意味する。いくつかの実施形態では、情報要素measScaleFactor-r12は、「OPTIONAL  Need  ON」の代わりに「OPTIONAL  Need  OR」として示されることができる。いくつかの実施形態では、情報要素measScaleFactor-r12は、OPTIONALの代わりにNON-OPTIONAL（非オプション）として示されることができる。表６では、情報要素measIdToRemoveListExt-r12及びmeasIdToAddModListExt-r12は、（例えば、ＵＥ１０２へ変更を伝えるために）リストから測定オブジェクトを追加又は除去するためにネットワークによって使用されることができる。
【手続補正８】
【補正対象書類名】明細書
【補正対象項目名】００３６
【補正方法】変更
【補正の内容】
【００３６】
いくつかの実施形態では、ｅＮＢ１１２のキャリア監視制御回路１１４は、スケールファクタ（例えば、上述の情報要素MeasScaleFactor-r12のsf-Measurementフィールド）に対して指定「NONE」又は他の値を、それ以外の有効なスケールファクタ値を提供する代わりに伝えて、全てのキャリアがＮＰＧとみなされるべきであることを特定することができる。
【手続補正９】
【補正対象書類名】明細書
【補正対象項目名】００４６
【補正方法】変更
【補正の内容】
【００４６】
図３は、ＵＥを動作させるためのプロセス３００のフロー図である。説明を容易にするため、プロセス３００は、以下、ＵＥ１０２を参照して説明することがある。説明のために、プロセス３００の動作は、ＵＥ１０２のキャリア監視制御回路１０４によって実行されるものとして説明することができるが、プロセス３００は、任意の適切に設定されたデバイス（例えば、プログラムされた処理システム、ＡＳＩＣ又は他の無線コンピューティングデバイス）により実行されることができる。
【手続補正１０】
【補正対象書類名】明細書
【補正対象項目名】００４９
【補正方法】変更
【補正の内容】
【００４９】
３０６において、キャリア監視制御回路１０４は、ｅＮＢから１つ以上の信号に基づいて、ＲＰＧキャリアが設定されているかどうかを決定することができる。例えば、ＵＥ１０２が、表５のシステム情報ブロックを参照して上述したように設定されているシステム情報ブロックを受信する場合、キャリア監視制御回路１０４は、それに含まれている情報を処理して、ＲＰＧキャリアが設定されているかどうかを決定することができる。他の例では、ＲＰＧが設定されていることを示すいかなる信号もＵＥ１０２がｅＮＢから受信しない場合、キャリア監視制御回路１０４は、ＲＰＧが設定されていないと決定することができる。
【手続補正１１】
【補正対象書類名】明細書
【補正対象項目名】００５２
【補正方法】変更
【補正の内容】
【００５２】
図４は、ｅＮＢを動作させるためのプロセス４００のフロー図である。説明を容易にするため、以下、プロセス４００は、ＵＥ１０２と通信するｅＮＢ１１２を参照して説明することがある。説明のために、プロセス４００の動作は、ｅＮＢ１１２のキャリア監視制御回路１１４によって実行されるものとして説明することができるが、プロセス４００は、任意の適切に設定された装置（例えば、プログラムされた処理システム、ＡＳＩＣ又は他の無線コンピューティングデバイス）によって実行されることができる。
【手続補正１２】
【補正対象書類名】明細書
【補正対象項目名】００５８
【補正方法】変更
【補正の内容】
【００５８】
本明細書で記載されているＵＥ１０２又はｅＮＢ１１２は、任意の適切なハードウェア、ファームウェア、又は所望に設定されているソフトウェアを使用してシステムに実装されることができる。図５は、１つの実施形態に対して、無線周波数（ＲＦ）回路５０４と、ベースバンド回路５０８と、アプリケーション回路５１２と、メモリ／ストレージ５１６と、ディスプレイ５２０と、カメラ５２４と、センサ５２８と、入力／出力（Ｉ／Ｏ）インタフェース５３２又は図示されるように、互いに結合されたネットワークインタフェース５３６と、含む例示のシステム５００を示す。いくつかの実施形態では、ＲＦ回路５０４及びベースバンド回路５０８は、ＵＥ１０２又はｅＮＢ１１２のための無線ハードウェア１０８又は無線ハードウェア１１８にそれぞれ含まれていることができる。いくつかの実施形態では、アプリケーション回路５１２は、ＵＥ１０２又はｅＮＢ１１２のためのキャリア監視制御回路１０４又はキャリア監視制御回路１１４にそれぞれ含まれていることができる。システム５００の他の回路は、それぞれ、ＵＥ１０２又はｅＮＢ１１２の他の回路１１０又は他の回路１２０に含まれていることができる。
【手続補正１３】
【補正対象書類名】明細書
【補正対象項目名】００６０
【補正方法】変更
【補正の内容】
【００６０】
ベースバンド回路５０８は、これらに限定されないが、１つ以上のシングルコアプロセッサ又はマルチコアプロセッサ等の回路、例えば、ベースバンドプロセッサを含むことができる。ベースバンド回路５０８は、ＲＦ回路５０４を介した１つ以上の無線アクセスネットワークとの通信を有効にする様々な無線制御機能を取り扱うことができる。無線制御機能は、これらに限定されないが、信号変調、符号化、復号化、無線周波数シフト等を含むことができる。いくつかの実施形態では、ベースバンド回路５０８は、１つ以上の無線技術に対応した通信を提供することができる。例えば、いくつかの実施形態では、ベースバンド回路５０８は、Ｅ−ＵＴＲＡＮ又は他の無線メトロポリタンエリアネットワーク（ＷＭＡＮ）、無線ローカルエリアネットワーク（ＷＬＡＮ）若しくは無線パーソナルエリアネットワーク（ＷＰＡＮ）との通信をサポートすることができる。ベースバンド回路５０８が、複数の無線プロトコルの無線通信をサポートするように構成された実施形態は、マルチモードのベースバンド回路と呼ばれることがある。
【手続補正１４】
【補正対象書類名】明細書
【補正対象項目名】０１３６
【補正方法】変更
【補正の内容】
【０１３６】
例６６は、無線通信のためのユーザイクイップメント（ＵＥ）であって、ＵＥが増加キャリア監視をサポートするように設定する手段であって、ここで、増加キャリア監視はＵＥが４個より多い無線アクセス技術（ＲＡＴ）周波数分割複信（ＦＤＤ）キャリアを監視することを必要とし、ＲＡＴはエボルブドユニバーサル地上無線アクセス（Ｅ−ＵＴＲＡ）又はユニバーサル地上無線アクセス（ＵＴＲＡ）である、手段と、ｅＮＢから受信された１つ以上の信号に基づいて、低下パフォーマンスグループキャリアが設定されているどうかを決定する手段と、ｅＮＢから受信された１つ以上の信号に基づいて、スケールファクタが設定されているどうかを決定する手段と、低下パフォーマンスグループキャリアが設定されていないとの決定及びスケールファクタが設定されていないとの決定に応答して、ＵＥが４個以下のＲＡＴ  ＦＤＤキャリアを監視することを許容する手段と、を含む。
例６７は、例６６の主題を含むことができ、増加キャリア監視がさらに、ＵＥが４個より多いＲＡＴ時分割複信（ＴＤＤ）キャリアを監視することを必要とし、ＵＥは、低下パフォーマンスグループキャリアが設定されていないとの決定及びスケールファクタが設定されていないとの決定に応答して、ＵＥが４個以下のＲＡＴのＴＤＤキャリアを監視することを許容する手段をさらに含むことを、さらに特定することができる。
【手続補正１５】
【補正対象書類名】明細書
【補正対象項目名】０１４５
【補正方法】変更
【補正の内容】
【０１４５】
例７６は、例７５の主題を含むことができ、１つ以上の信号は、スケールファクタが設定されていることを示す情報要素MeasScaleFactorを含むことを、さらに特定することができる。
例７７は、例７５から７６のいずれかの主題を含むことができ、スケールファクタが低下パフォーマンスグループキャリアの測定に適用される緩和を定義することを、さらに特定することができる。
【手続補正１６】
【補正対象書類名】明細書
【補正対象項目名】０１５０
【補正方法】変更
【補正の内容】
【０１５０】
例８２は、例８１の主題を含むことができ、ＵＥへの第３信号の送信を発生させる手段であって、ここで、第３信号は、１個以上の低下パフォーマンスグループキャリアが設定されていることを示す、手段と、第３の信号に応答して、ｅＮＢにより、ＵＥから、スケールファクタに従ってなされた１個以上の低下パフォーマンスグループキャリアの測定値を受信する手段とを、さらに含むことができる。
例８３は、例７９から８２のいずれかの主題を含むことができ、さらに、無線ハードウェアを動作させる手段を含み、無線ハードウェアはアンテナを含む。
【手続補正１７】
【補正対象書類名】図面
【補正対象項目名】図４
【補正方法】変更
【補正の内容】
【図４】
2017535205.tif 000002